(57)【要約】      （修正有）【課題】ベルト側部材と工具収納具側部材とを嵌合部同士の嵌合により着脱自在に連結し、連結状態をキー通空間に通したキーにより保持する作業用ケースにおいて、キーのキー通空間からの抜けを確実に阻止する。【解決手段】ベルト側部材２と工具収納具側部材６とに、互いに着脱可能に嵌合する嵌合部２０が形成され、嵌合部に、互いに嵌合したときに連通するキー通空間が形成され、キー１０はキー通空間に挿通可能に形成され、挿通された状態でベルト側部材と工具収納具側部材との連結状態を保持し、キーと工具収納具側部材にそれぞれ係合孔１４と、係合突端を有する係合片２４を形成し、キーがキー通空間に挿入されたときに係脱可能に互いに係合し合ってキー通空間からの抜けを阻止する。【選択図】図３
0003204350.tif 000002
【実用新案登録請求の範囲】
【請求項１】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記キーは互いに連通する状態の上記キー通空間に挿通可能に形成され、挿通された状態で上記ベルト側部材と上記工具収納具側部材との連結状態を保持するようにされ、
上記キーと上記工具収納具側部材に、そのキーが上記キー通空間に挿入されたときに係脱可能に互いに係合し合って上記キー通空間からの抜けを阻止する係合手段が形成された
ことを特徴とする作業用ケース。
【請求項２】
前記キーが、前記工具収納具又は前記工具収納具側部材とのいずれかに接続具を介して接続されて
なることを特徴とする請求項２に記載の作業用ケース。
【請求項３】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記キーは互いに連通する状態の上記キー通空間に挿通可能に形成され、且つ、前記工具収納具又は前記工具収納具側部材とのいずれかに接続具を介して接続され、
上記キーが上記キー通空間に挿入されたとき上記接続具によってその挿入された状態が保持されるようにでき、上記キー通空間から抜き取られたときでもその接続具によって上記工具収納具又は上記工具収納具側部材とのいずれかから離脱しないようにされた
ことを特徴とする作業用ケース。
【請求項４】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記工具収納具又は上記工具収納具側部材とのいずれかに接続具を介して接続され、上記キーと上記工具収納具側部材に、そのキーが上記キー通空間に挿入されたときに係脱可能に互いに係合し合ってそのキーの上記キー通空間からの抜けを阻止する係合手段が形成され、
更に上記キーが上記キー通空間に挿入されたとき上記接続具によってもその挿入された状態が保持されるようにされた
ことを特徴とする作業用ケース。
【考案の詳細な説明】
【技術分野】
【０００１】
本考案は、ベルト挿通部に通したベルト（例えば「安全帯」と称されるベルトを含む）に掛けられることにより使用され、本体を成す、皮革或いは繊維等により形成された腰袋等の工具収納具にて各種工具を収納する作業用ケースに関するものである。
【背景技術】
【０００２】
建築、建設等の各種作業には多くの種類の工具が使用される。例えば、鉄筋作業には、鉄筋どうしを結束するための鉄筋作業に絶対に必要不可欠なハッカー、針金を切断するカッター、鉄筋等に印し（マーク）をつけるマーカーと呼ばれる筆記用具、長さを計測する折尺等の工具を用いる。
従って、鉄筋作業員は、使用する各種工具を入れる作業用ケースをズボンのベルト或いは安全帯に掛け、その作業用ケースに作業で使用する各種工具類を入れて現場に臨むのが普通である。
【０００３】
そして、本願出願人会社は、そのような工具を収納する作業用ケースについて例えば特願２００１−２７５９７５、特願２００１−２６９７１４等により技術的提案をし、その技術的内容が特開２００３−０８２８５６号公報、特開２００３−０８０４７４号公報により公開されている。
また、作業用ケースとして、本体を皮革或いは繊維等からなる腰袋で構成し、その腰袋の一部にベルトを通すベルト通しを設けたものもあり、主としてタオル或いは手拭いや軍手或いは手袋その他種々の工具類、結束線、釘やねじ類等の収納に使用され、単に「腰袋」と称され、万能の作業用ケースとして位置づけられている。
【０００４】
そして、作業用ケースには、ベルトに掛かる部分、即ちベルト側部材と、腰袋等工具収納具側の部分、即ち工具収納具側部材とが一体のものが主流ではあるが、将来、双方が分離し着脱を可能にしたものが主流になると思われる。
というのは、ベルトと作業用ケースとの着脱はかなり面倒であり、特に作業員が高層ビルの建築のため高所で何度もその着脱を繰り返すことは危険ですらある。
【０００５】
そこで、一つの作業が終了し別の作業を行うために工具一式を工具収納具単位で簡単に交換できるようにするために、或いは、休憩や食事のために工具収納部を取り外しができるようにするために、ベルト側部材と、工具収納具側部材とを分離し、且つ着脱可能に連結できるようにしたのである。
そして、その着脱可能な連結は、例えば図１１（Ａ）、（Ｂ）に示すような機構により為されるようになっている。
【０００６】
図１１（Ａ）はベルト側部材と工具収納具側部材との連結の仕方を斜め正面から示す分解斜視図、図１１（Ｂ）はベルト側部材と工具収納具側部材との連結の仕方を斜め背面から示す分解斜視図である。
図面において，ａはベルト側部材、ｂはベルト側部材ａを成す矩形状の金属板で、長辺近傍に互いに平行に形成された一対のベルト挿通孔ｃ、ｃを有する。この一対のベルト挿通孔ｃ、ｃのうちの一方ｃにベルトｄの一端を通し、その通した一端を更に他方のベルト挿通孔ｃに通すことにより、ベルト側部材ａがベルトｄに掛けられた状態になる。
【０００７】
ｅ、ｅは金属板ｂの一方の主面に一体に形成された一対の支持片で、ベルト挿通孔ｃ、ｃの長手方向における中央部の稍内側に位置している。ｆはこの一対の支持片ｅ、ｅの中央部間に懸架された状態で一体に形成された連結軸である。
ｇは工具収納具側部材で、下部に位置する主要部を成す工具収納具の図示は省略する。ｈは工具収納具側部材ｇの上部を成す金属からなる連結用基板、ｉはこの連結用基板ｈの裏面の上部にリベットにより固定された矩形状の金属板で、その上辺の中央部が突出し逆Ｕ字状の曲折部ｊを成している。
【０００８】
ｋは上記金属板ｉの下辺の中央部が一体に突出され上側に曲折されたバネ片で、肉厚は他の部分よりも薄くされ、バネ性を帯びるようにされている。
そして、そのバネ片ｋの先端部は上記曲折部ｊの下部の内側に位置され、バネ片ｋ自身のバネ力により曲折部ｊに接し、バネ片ｋの先端部と曲折部ｊとの間が閉塞状態になるようになっている。
【０００９】
そして、ベルト側部材ａと工具収納具側部材ｇとの連結は、ベルト側部材ａの連結軸ｆで、バネ片ｋを押すことによりバネ片ｋ先端部（上端部）と逆Ｕ字状曲折部ｊ先端部（上端部）との間に間隙を設け、連結軸ｆをその間隙に通すことにより行う。
このようにすることにより、逆Ｕ字状曲折部ｊと連結軸ｆとが連結され、延いては、ベルト側部材ａと工具収納具側部材ｇとが連結された状態になる。そして、その連結状態は、連結軸ｆが逆Ｕ字状曲折部ｊから離脱するのを、バネ片ｋのバネ力により自身の先端部を逆Ｕ字状曲折部ｊの先端部と接触させて閉塞状態を維持することにより保つ。
【００１０】
また、ベルト側部材ａから工具収納具側部材ｇを外す場合は、指で上記バネ片ｋを押してその先端部と逆Ｕ字状曲折部ｊの先端部との間に間隙をつくり、その間隙に上記連結軸ｆが通るようにして連結軸ｆを逆Ｕ字状曲折部ｊから外す。これで、ベルトｄから工具収納具側部材ｇを完全に外すことができるのである。
【先行技術文献】
【特許文献】
【００１１】
【特許文献１】特開２００７−１８３４９８号公報
【特許文献２】特開２０１３−０２５０５２号公報
【考案の概要】
【考案が解決しようとする課題】
【００１２】
ところで、近年、例えば超高層ビル等の建築物の高層化が進むにつれて、建築工事における作業員の安全性を高める必要性が強く認識されるに至っている。
そのため、ハーネス型と呼ばれる作業員の肩、腿の二方を中心の胴ベルトを介して連結し、全身で作業員の重量を支え、保持する安全帯が普及しつつあり、さらに過酷な作業による身体の防御の必須装備として腰痛防止の腰当（サポーターベルト）を安全帯と併用することが一般化され、多くなっている。
そのことは、ベルトを止める為の干渉部位が増え、作業用ケースを装着するベルトの空間が極端に狭められ、且つ、作業の為の最適な作業用ケースの装着位置が失われてしまう原因となっている。さらに、そのような状況下において、複数のベルト側部材と工具収納具側部材の一体の作業用ケースの順位を変えたり、種類を変えたりする時はベルトを全て外し、一から新規に装着し直さなければない場合がある。それは、作業員の膨大なエネルギーの浪費といえる。
依って、従来のベルト側部材と腰袋等工具収納具側部材が一体の作業用ケースや工具収納具側部材の従来の回転が許容できる使用方法の作業用ケースに対し、中の収納物の落下を防止するために工具収納具側部材の回転や必要以上の動きを抑制しなければならない、より安全性が要求される場合において、工具収納具側部材を自由に着脱、交換できる作業用ケースとして現場作業員に安全性と利便性を提供する必要性が認識されるに至ったのである。
【００１３】
というのは、各作業員が着用する作業用ケースに要求される安全性の高さが従来通りで済む場合も多いが、それより高い安全性が要求される場合も増えつつあるからである。
そして、ベルト側部材と工具収納具側部材とを着脱可能に連結できるようにしたタイプの作業用ケースにおいては、その連結部で発生する回転が作業員の動きを楽にし、定まった部位に定まった工具を収納する場合には問題ないが、その反面、腰袋のように出し入れ口が大きく不特定多数のものを収納する場合、その回転を抑制し収納物の落下を防止しなければならない。
【００１４】
そして、作業員は作業中いろんな姿勢を取り、複雑な動作をするので、それに伴って作業用ケースはいろんな状態、向きになり、想定外の向き、状態になることもある。従って、例えば、図１１に示すようなタイプの作業用ケースａにおいては、連結軸ｆを中心に作業員の体の方に工具収納具側部材ｇが回転する。そのことは作業員の動きを楽にする。そして、決められた工具が決められた位置に収納される場合には問題はないが、反面、腰袋のように出し入れ口が大きく不特定多数の様々なものを収納する工具収納具側部材の場合、中の収納物の落下の危険性がある。
依って、より安全性が高いことが要求される場合、ベルト側部材と工具収納具側部材との連結状態をより強固に維持できるようにすることが作業用ケースに求められるに至っている。
【００１５】
本考案はそのような利便性と安全性を同時に求められた結果に応えるために為されたものであり、その目的は、ベルト側部材と工具収納具側部材とを着脱可能に連結できるようにしたタイプの作業用ケースにおいて、作業員の様々な動きがベルト側部材に伝わる傾斜角度以上の工具収納具側部材の動きが抑制され、さらに、ベルト側部材と工具収納具側部材とが連結状態にあるときにその連結状態を安全に対する意識を喚起するための一定の操作を経て解除する操作をしない限りその連結状態が絶対に解除されないようにして安全性を高めることにある。
【課題を解決するための手段】
【００１６】
請求項１の作業用ケースは、ベルトに掛けられるベルト側部材と、工具収納具が取り付けられた工具収納具側部材と、キーを有し、上記ベルト側部材と上記工具収納具側部材とに、互いに着脱可能に嵌合する嵌合部が形成され、これ等嵌合部に、互いに嵌合したときに連通するキー通空間が形成され、上記キーは互いに連通する状態の上記キー通空間に挿通可能に形成され、挿通された状態で上記ベルト側部材と上記工具収納具側部材との連結状態を保持するようにされ、上記キーと上記工具収納具側部材に、そのキーが上記キー通空間に挿入されたときに係脱可能に互いに係合し合ってそのキーの上記キー通空間からの抜けを阻止する係合手段が形成されたことを特徴とする。
【００１７】
請求項２の作業用ケースは、請求項１記載の作業用ケースにおいて、前記キーが、前記工具収納具又は前記工具収納具側部材とのいずれかに接続具を介して接続されたことを特徴とする。
請求項３の作業用ケースは、ベルトに掛けられるベルト側部材と、工具収納具が取り付けられた工具収納具側部材と、キーとを有し、上記ベルト側部材と上記工具収納具側部材とに、互いに着脱可能に嵌合する嵌合部が形成され、これ等嵌合部に、互いに嵌合したときに連通するキー通空間が形成され、上記キーは互いに連通する状態の上記キー通空間に挿通可能に形成され、且つ、前記工具収納具又は前記工具収納具側部材とのいずれかに接続具を介して接続され、上記キーが上記キー通空間に挿入されたとき上記接続具によってその挿入された状態が保持されるようにでき、上記キー通空間から抜き取られたときでもその接続具によって上記工具収納具又は上記工具収納具側部材とのいずれかから離脱しないようにされたことを特徴とする。
【００１８】
請求項４の作業用ケースは、ベルトに掛けられるベルト側部材と、工具収納具が取り付けられた工具収納具側部材と、キーと、を有し、上記ベルト側部材と上記工具収納具側部材とに、互いに着脱可能に嵌合する嵌合部が形成され、これ等嵌合部に、互いに嵌合したときに連通するキー通空間が形成され、上記キーは、互いに連通する状態の上記キー通空間に挿通可能に形成され、上記工具収納具又は上記工具収納具側部材とのいずれかに接続具を介して接続され、上記キーと上記工具収納具側部材に、そのキーが上記キー通空間に挿入されたときに係脱可能に互いに係合し合ってそのキーの上記キー通空間からの抜けを阻止する係合手段が形成され、更に上記キーが上記キー通空間に挿入されたとき上記接続具によってもその挿入された状態が保持されるようにされたことを特徴とする。
【考案の効果】
【００１９】
請求項１の作業用ケースによれば、ベルト側部材と工具収納具側部材とを、それ等の嵌合部どうしを嵌合し、互いに連通された状態のキー通空間にキーを挿通することにより、連結する状態を形成することができ、そのキーを上記キー通空間から抜かない限りその連結状態を保持することができる。
そして、キーにバネ性を持たせる必要がないので、薄くする等機械的強度を犠牲にして形成する必要がなく、連結された状態が僅かな力で解除されるというおそれをなくすことができる。
【００２０】
更に、上記キーと上記工具収納具側部材に、そのキーが上記キー通空間に挿入されたときに係脱可能に互いに係合し合ってそのキーの上記キー通空間からの抜けを阻止する係合手段が形成されているので、その係合手段同士の係合により上記連結状態が維持されるようにでき、延いては、ベルト側部材と工具収納具側部材とが作業中に外れることを確実に阻止することができ、作業用ケースの安全性を高めることができる。
【００２１】
請求項２の作業用ケースによれば、キーを、ベルト側部材と、工具収納具或いは工具収納具側部材とのいずれかに接続具を介して接続したので、キーが落下したり、紛失したりするおそれをなくすことができる。
請求項３の作業用ケースによれば、請求項１の作業用ケースによると同様に、キーを上記キー通空間から抜かない限りその連結状態を保持することができ、そして、キーにバネ性を持たせる必要がないので、薄くする等機械的強度を犠牲にして形成する必要がなく、連結された状態が僅かな力で解除されるというおそれをなくすことができる。
【００２２】
更に、前記工具収納具又は前記工具収納具側部材とのいずれかに接続具を介して接続され、上記キーが上記キー通空間に挿入されたとき上記接続具によってその挿入された状態が保持されるようにできるので、その接続具によって上記連結状態を維持することができ、延いては、ベルト側部材と工具収納具側部材とが作業中に外れることを確実に阻止することができ、作業用ケースの安全性を高めることができる。
請求項４の作業用ケースによれば、請求項１の作業用ケースの特徴と請求項３の作業用ケースの特徴の両方を備えているので、請求項１の作業用ケースによる効果と請求項３の作業用ケースによる効果の双方を奏することができ、延いては、より安全性を確実に高めることができる。
【図面の簡単な説明】
【００２３】
【図１】本考案作業用ケースの第１の実施例のベルト側部材と工具収納具側部材が連結された状態を示す斜視図である。
【図２】本考案作業用ケースの第１の実施例のベルト側部材と工具収納具側部材を分離するためにキーをキー通空間から抜き取る操作を説明する斜視図であり、その図中のＡは前記係合手段同士の係合を解除するための操作を示し、図中のＢはキーを抜き取る操作を示す。
【図３】本考案作業用ケースの第１の実施例の工具収納具側部材からベルト側部材を分離した状態を示す分解斜視図である。
【図４】本考案作業用ケースの第１の実施例の工具収納部側部材を分解して示す分解斜視図である。
【図５】本考案作業用ケースの第１の実施例のキーと工具収納部側部材の係合手段同士の係合について説明するための縦断面図で、（Ａ）は係合直前の状態を、（Ｂ）は係合後の状態を示す。
【図６】本考案作業用ケースの第１の実施例のキーをキー通空間から抜き取るための係合手段同士の係合を解除する操作を説明する縦断面図である。
【図７】本考案作業用ケースの第２の実施例を示す斜視図である。
【図８】本考案作業用ケースの第２の実施例の接続具による、キーがキー通空間に挿通された状態を維持する操作及びその状態の解除操作を説明するための斜視図で、図中Ａは接続具が巻付部にて工具収納具に固定されてキーがキー通空間に挿通された状態を維持する状態を示し、Ｂは接続具の巻付部からの解除の途中の状態を一点鎖線で示し、Ｃは接続具の巻付具からの解除が終了した状態を一点鎖線で示し、Ｄはキー通空間から抜き出されようとしているキーの上部を二点鎖線で示す。
【図９】本考案作業用ケースの第２の実施例の接続具の工具収納具側部材に固定された状態を示し、（Ａ）は平面図、（Ｂ）は平面図のＢ−Ｂ線視断面図である。
【図１０】本考案作業用ケースの第３の実施例を示す斜視図である。
【図１１】（Ａ）、（Ｂ）は背景技術を説明するためのもので、（Ａ）はベルト側部材と工具収納具側部材との連結の仕方を斜め正面から示す分解斜視図、（Ｂ）はベルト側部材と工具収納具側部材との連結の仕方を斜め背面から示す分解斜視図である。
【考案を実施するための形態】
【００２４】
本考案作業用ケースは、いずれの態様においても、ベルト側部材と、工具収納具側部材と、キーと、を有し、上記ベルト側部材と上記工具収納具側部材に互いに着脱可能に嵌合される嵌合部を形成し、これ等嵌合部に、互いに嵌合したときに互いに連通するキー通空間を形成し、上記キーを互いに連通する状態の上記キー通空間に挿通可能に形成し、挿通された状態でベルト側部材と工具収納具側部材との連結状態を保持するようにしたものであるが、ベルト側部材、工具収納具側部材及びキーは種々の態様で実施することができ、ベルト側部材は、普通の作業服のズボンのベルトに掛けられるものであっても、或いは、安全帯と称される高い安全性が得られるように設計されたベルトに掛けられるものであっても良い。
【００２５】
ベルト側部材のベルトへの取付には、例えば金属等からなる基板に一対のベルト挿通孔を平行に形成し、ベルトの一端を一方のベルト挿通孔に通し、その通したベルトの端をもう一方のベルト挿通孔に通すという態様と、基板の裏側に一つのベルト挿通孔を設け、それにベルトを通すという態様がある。
ベルト側部材は、金属で形成しても良いが、必要な機械的強度、硬度があれば、例えば合成樹脂等別の素材で形成しても良い。
【００２６】
また、ベルト側部材は、前述の図１１に示す作業用ケースに用いたベルト側部材ａをそのまま用いることもできる。即ち、図１１の作業用ケースも現在非常に便利に用いられているが、連結部に発生する回転が不向きな作業用ケース、例えば出し入れ口が大きく不特定多数のものを収納する腰袋等に図１１のベルト側部材と同じものを用いることにより、ベルト側部材をベルトから外すことなく、回転の利便性に見合った作業用ケースと回転抑制の安全性を求められる作業用ケースとから作業状況に応じた方を選ぶことができる。
このように相反する工具収納具を同一のベルト側部材で使用できることは、作業用ケースの選択の自由度を高め、より高度に質的な汎用性を高めることができると言える。
【００２７】
ちなみに、後で実施例の項で詳述する第１の実施例の作業用ケースを構成するベルト側部材は、図１１に示した作業用ケースのベルト側部材ａと材質、構造が全く同じものを用いており、本考案に係る作業用ケースのためだけに特別の仕様、設計を行わないで済む場合が多い。
また、工具収納具は、腰袋タイプのものであっても良く、次の項の実施例で述べた各実施例の工具収納具はすべて腰袋タイプのものであるが、それ以外のタイプのものであっても良い。
工具収納具側部材は、ベルト側部材と同様に、金属により形成しても良いが、必要な機械的強度や硬度等の条件を満たせば、例えば合成樹脂等、別の素材を用いても良い。
【００２８】
次に、キーについて述べると、互いに嵌合する嵌合部の互いに連通するキー通空間に完全に挿通可能で、挿通された状態で連結状態を保持できる強度があるという条件を満たせば、どのような形態であっても良い。例えばプレート状（平板状）であっても良いし、棒状であっても良い。
また、材質は金属であれば充分な機械的強度や硬度を得やすいが、例えば合成樹脂等、別の素材でも必要な機械的強度、硬度が得られるならば用いることができる。
また、キーをキー通空間に上側から下向きに挿通するようにしても良いが、その逆に、キーをキー通空間に上向きに挿通するようしても良い。
更に、キーを横方向（左右方向）に抜き挿しする等、キーの抜き挿し方向は限定されない。
【００２９】
また、キーは接続具を介して工具収納具に固定するようにしても良いが、工具収納具側部材に固定するようにしても良い。また、ベルト側部材に固定するようにしても良い。接続具としては、ストラップ或いはチェーンが良い。
また、キーが工具収納具側部材及びベルト側部材から離脱することは危険なので、請求項１の作業用ケースにおいても、キーを例えば接続具によって例えば工具収納具側部材へ接続するようにすることが好ましい。
【００３０】
接続具は、例えばストラップを主体として、それのキーと接続される側の端部とその反対側の端部とに留め具を設けたものが好ましく、ストラップはフレキシビリティと必要な強度があれば、材料の如何を問わない。
【実施例】
【００３１】
（第１の実施例）
図１〜図６は本考案作業用ケースの第１の実施例１ａを示すもので、図１はベルト側部材と腰袋（工具収納具）側部材が連結された状態を示す斜視図、図２はベルト側部材と工具収納具側部材を分離するためにキーをキー通空間から抜き取る操作を説明する斜視図であり、その図中のＡは前記係合手段同士の係合を解除するための操作を示し、図中のＢはキーを抜き取る操作を示し、図３は工具収納部側部材からベルト側部材を分離した状態を示す分解斜視図、図４は工具収納部側部材を分解して示す分解斜視図、図５はキーと工具収納部側部材の係合手段同士の係合について説明するための縦断面図で、（Ａ）は係合直前の状態を、（Ｂ）は係合後の状態を示し、図６はキーをキー通空間から抜き取るための係合手段同士の係合を解除する操作を説明する縦断面図である。
【００３２】
図において、２は第１の実施例１ａを構成するベルト側部材で、ベルト４に掛けられるものである。６は本実施例１ａを構成する別の部材である腰袋（工具収納具）側部材で、それには工具収納具である腰袋８が固定されている。なお、この腰袋８の外側面には各種工具を収納する収納部が収納される場合があるが、その説明は本考案の本質とは直接関係しないので、省略する。
１０は第１の実施例１ａを構成するもう一つの部材であるキーであり、本実施例１ａにおいては平板状を有している。このキー１０は接続具１２を介して腰袋８に固定されている。１４はキー１０の先端に形成された係合孔、１４ａはその係合孔１４の下側の縁部である。
【００３３】
次に、ベルト側部材２について詳細に説明する。
１６はベルト側部材２が形成された矩形状の金属板で、両方の長辺部に沿って一対のベルト挿通孔１８、１８が形成されている。ベルト４の一端を一方のベルト挿通孔１８に通し、更に、その一端を別のベルト挿通孔１８を通すことにより、ベルト側部材２がベルト４に掛けられた状態になる。１９、１９は金属板１６の上記ベルト挿通孔１８、１８間の上部及び下部に形成された隆起部で、後述するようにベルト側部材２と腰袋側部材６を装着するときにおけるその両部材間の上下方向における位置決めをする役割を果たす。
【００３４】
２０は嵌合軸で、特許請求の範囲における嵌合部に該当し、金属板１６のベルト挿通孔１８、１８の稍内側に一体に形成された一対の支持台２２、２２の中心部間に一体に懸架状に形成されている。
尚、本ベルト側部材２は、図１１に示すベルト側部材ａと材質、構造が全く同じものを用いることができる。従って、この第１の実施例の作業用ケース１ａのベルト側部材２を得るために、特別に設計、製造するというロスは生じ得ない。連結軸ｆの果たす役割が嵌合軸２０に代わるだけである。
【００３５】
次に、腰袋側部材６の構成について詳細に説明する。
３０は腰袋側部材６の主要部が形成された金属基板で、腰袋８に、その開口縁部を覆う補強片３１ａ及びスペーサ片３１ｂを介して固定されている。
この金属基板３０の表面上部の横方向における中央部に略矩形状の突起３２が固定されており、その突起３２から下側にやや離間した位置にはボタン状の突起３３が固定されている。この突起３３は金属からなり、頂部が基部側よりも小径にされて段差が形成されており、更に、その段差が滑らかになるように面取りした形状にされている。そして、その突起３２・３３間に上記嵌合軸２０が嵌合されることになるが、それについては後述する。
【００３６】
金属基板３０表面の下部には係合部支持片２３が固定され、その係合部支持片２３には係合片２４の下部が固定されている。この係合片２４の上端部は側面からみてＵ字状に表面側に折り返されて係合突端２５を成しており、この係合突端２５は上記キー１０の係合孔１４と係合すると、そのキー１０の後述するキー通空間（４４、４５）からの抜けが防止されることになるが、それについては後述する。
２６は上記係合突端２５を覆う位置に形成された金属片で、上から視てコ字状でそのコ字状部分の両側部を外側に直角に折り曲げて取付片２７、２７とされており、この取付片２７、２７にて金属基板３０の表面に固定されている。
そして、係合片２４はその係合突端２５が金属片２６の裏面に接するような方向に付勢されるようバネ性を帯びており、後述するようにキー１０の下部がその係合突端２５と金属片２６との間をその付勢力に抗して通ると、図５（Ｂ）に示すように、係合突端２５がキー１０の係合孔１４に係合してキー１０の抜けを防止することができるようにされている。
【００３７】
３４は上記金属片２６から上側に適宜離間した位置に設けられた金属片で、上から視てコ字状でそのコ字状部分の両側部を外側に直角に折り曲げて取付片３６、３６とされており、この取付片３６、３６にて上記金属基板３０に固定されている。その金属片３４の裏面と金属基板３０の表面に固定された矩形状の突起３２及びボタン状の突起３３の表面との間がキー通空間４４となる。
３８、３８、・・・は金属片３４を取付片３６、３６にて金属基板３０上部に固定するリベットである。尚、固定に使用されたリベットにはすべて３８の符号を付与した。
【００３８】
４０は金属片３４の中央部に形成されたＨ字状スリットで、中央部の横に伸びる部分は上記嵌合軸２０を通し、両側の縦に伸びる部分は嵌合軸２０を支持する支持台２２、２２を通し且つ支持台２２、２２及び嵌合軸２０の横方向への位置を規定する。
この金属片３４のＨ字状スリット４０及び上下に離間した上記突起３２・３３がその間にて嵌合軸２０及び支持台２２、２２を受け入れる。そして、嵌合軸２０が突起３２・３３間に嵌合されたとき、腰袋側部材６の嵌合部（Ｈ字状スリット４０及び突起３２、３３からなる）と、ベルト側部材２の嵌合軸２０が嵌合した状態になる。
【００３９】
そして、図５（Ａ）、（Ｂ）に示すように、腰袋側部材６の金属片３４とベルト側部材部材２の金属片１６が当接し、また、嵌合軸２０と突起３２、３３とが当接し、上下方向の位置、動きを完全に規定する。
具体的には、金属片３４の上端と、上側の隆起部１９の下辺とが接する部分と、Ｈ字状スリット４０の両端の縦に伸びる部分の上側内端面と、上側の支持台２２の上辺との接する部分と、金属片３４の下端と、下側の隆起部１９の上辺とが接する部分と、Ｈ字状スリット４０の両端の縦に伸びる部分の下側内端面と下側の支持台２２の下辺との接する部分と、突起３２の下端と嵌合軸２０との接する部分と、突起３３の上端と嵌合軸２０との接する部分にて、腰袋側部材６の金属片３４とベルト側部材部材２の金属片１６との位置関係が固定される。
この図５に示す状態のとき、嵌合軸２０の内側と金属片３４の内面との間にキー通空間４５が形成される。そして、金属基板３０と金属片３４との空間（キー通空間）４４と、そのキー通空間４５とは連通し、キー１０の抜き挿しを許容する空間となる。
【００４０】
そして、キー１０の係合孔１４のある下部は、上述したように金属片２６と係合片２４の係合突端２５との間をその係合片２４の付勢力に抗して通ると、係合孔１４に係合突端２５が係合し、キー１０のキー通空間４４、４５からの抜けを阻止するのである。
なお、キー１０をキー通空間４４、４５から抜くときは、図６に示すように、係合片２４を上側にやや押し上げ、更に係合片２４をその付勢力に抗して矢印ａの方向に押して係合孔１４から係合突端２５を外し、その後、キー１０を矢印ｂに示すように上側に上げるのである。  
【００４１】
次に、キー１０を腰袋８に接続する接続具１２について説明する。
この接続具１２は、ストラップ５２の両端に留め具５４、５４を設け、一方の留め具５４には連結リング５６を固定し、このリング５６をキー１０の上端部の連結孔５８に通して連結したものである。
６０は腰袋８に設けられた止め部で、腰袋８との間にてストラップ５２の中間部をその長手方向への移動可能に保持し、且つ、留め具５４、５４と当接することにより移動範囲を規定する。この止め部６０とストラップ５２を主体とする接続具１２とにより上記キー通空間４４、４５から抜けた状態のキー１０が腰袋８から離脱することを防止することができる。
【００４２】
次に、本作業用ケース１ａの使用方法について説明する。
図１、図２はベルト側部材２と腰袋側部材６の嵌合部どうしが嵌合し、更にキー１０がキー通空間４４、４５に挿通され、キー１０の係合孔１４に係合片２４の係合突端２５に係合した状態における斜視図であり、図３はベルト側部材２と腰袋側部材６の嵌合部どうしが嵌合する前の状態を分解斜視図にて示し、図５（Ａ）は係合孔１４に係合突端２５が係合する前の状態を、（Ｂ）は係合後の状態をそれぞれ斜視図にて示しており、先ず、この図３、図５（Ａ）、（Ｂ）を参照しながら上記嵌合及び上記係合について説明する。
ベルト側部材２と腰袋側部材６の連結は、ベルト側部材２の嵌合軸２０をＨ字状スリット４０を有する金属片３４等からなる嵌合部に嵌合することから始まる。
【００４３】
上述のとおり、腰袋側部材６の嵌合部は、金属片３４に形成されたＨ字状スリット４０及び上下に離間した突起３２、３３からなり、スリット４０の横に伸びる中央部分を通して嵌合軸２０を受け入れ、スリット４０の縦に伸びる両側部分を通して支持台２２、２２を受け入れる。
そして、突起３２、３３の間に嵌合軸２０を受け入れることにより、上述したように上下方向及び横方向における位置決めが成された状態で嵌合軸２０が金属片３４等からなる腰袋側部材６に嵌合された状態になる。
【００４４】
この嵌合された状態では、Ｈ字状スリット４０の横方向に伸びる中央部分及び突起３２、３３にて嵌合軸２０の縦方向における位置を規定し、Ｈ字状スリット４０の縦方向に伸びる両側部分にて支持台２２、２２に支持されている嵌合軸２０の横方向の位置を規定する。
そして、そのように位置規定された嵌合状態では、金属片３４と金属基板３０表面に固定された矩形状の突起３２及びボタン状の突起３３の表面との間に形成されたキー通空間４４と、嵌合軸２０の内側にできる金属片３４内面との間の空間、即ち、キー通空間４５とが連通し、キー１０を通す空間ができる。
【００４５】
そこで、そのキー１０を上側からその空間４４、４５に臨ませ、そして、挿通する。図５（Ａ）は挿通を終え、係合手段である係合孔１４への同じく係合手段である係合片２４の係合突端２５を係合させる寸前の状態を、同（Ｂ）はその係合をした状態を縦断面図で示している。
上述したように、キー１０を上側からその空間４４、４５に挿通すると、ベルト側部材２と腰袋側部材６とが連結された状態になるが、更に、図５（Ｂ）に示すように、係合片２４の係合突端２５が係合孔１４に係合した状態になる。すると、キー１０のキー通空間４４、４５からの抜けを完全に阻止することができる。
【００４６】
そして、ベルト４から腰袋８を外したいときは、係合片２４を矢印ｂと反対側の方向にやや移動させ、キー１０の係合孔１４の位置を係合突端２５の位置に整合させ、その状態で矢印ａに示す方向に押して係合突端２５と係合孔１４との係合状態を解除し、その後、矢印ｂに示す方向にキー１０をキー通空間４４、４５から抜き取る。
すると、ベルト４と腰袋８は分離可能な状態になるが、キー１０は、接続具１２によって腰袋８に接続されているので、腰袋８から離脱したり、落下したりするおそれはない。
【００４７】
このような実施例１ａによれば、ベルト側部材２と腰袋側部材６とを、腰袋側部材６のＨ字状スリット４０に嵌合部を成す嵌合軸２０及びその支持台２２，２２を嵌合し、互いに連通された状態のキー通空間４５、４４にキー１０を挿通することにより、連結する状態を形成することができる。そうすれば、そのキー１０を上記キー通空間４５、４４から抜かない限りその連結状態を保持することができる。
そして、キー１０にバネ性を持たせる必要がないので、薄くする等機械的強度を犠牲にしてキー１０等を形成する必要がなく、連結された状態が僅かな力で解除されるというおそれをなくすことができる。
【００４８】
そして、キー１０を、腰袋８に接続具１２を介して接続したので、キー１０が落下したり、紛失したりするおそれをなくすことができる。
また、キー１０のキー通空間４５、４４からの抜け止めをする係合孔１４と係合片２４の係合突端２５による係合手段があるので、キー１０がキー通空間４５、４４から抜けてベルト側部材２と腰袋側部材６との連結状態が解除されることを防止することができ、延いては作業用ケースの安全性をより高めることができる。
尚、本実施例１ａにおいて、ボタン状の突起３３に代えて板状体を一体に又は別体に形成したものを用いても良い等、種々のバリエーションを採り得る。
【００４９】
（第２の実施例）
図７乃至図９は本考案作業用ケースの第２の実施例１ｂを示すものであり、図７はベルト側部材と腰袋（工具収納具）側部材が連結した状態を示す斜視図、図８は図７に対してキーの抜け止めのための操作を説明する鎖線を付加した斜視図、図９は接続具を示し、（Ａ）は正面図、（Ｂ）は（Ａ）のＢ−Ｂ線視断面図である。
本実施例１ｂは、第１の実施例１ａとは共通する部分と相違する部分を有し、共通する部分については、既に説明済みなので、図中において共通する符号を使用して詳細な説明を省略し、相違する部分についてのみ詳細に説明する。
【００５０】
本実施例１ｂは、ベルト側部材２については第１の実施例１ａとは異なるところはなく、共通するが、腰袋（工具収納具）側部材６ｂについては、第１の実施例１ａの腰袋（工具収納具）側部材６とは少し異なる。そこで、その違いについて説明する。
第１の実施例１ａの腰袋側部材６には、金属基板３０には係合部支持片２３を介して係合片２４が設けられていたが、本実施例１ｂの腰袋側部材６ｂには係合片２４が設けられておらず、また、係合片２４の係合突端２５を上方から覆う金属片２６も存在しない。それが、腰袋側部材６ｂの第１の実施例１ａの腰袋側部材６との唯一の違いである。
【００５１】
本実施例１ｂは、第１の実施例６におけるようにキー１０のキー通空間４４、４５からのの抜けを、キー１０の係合孔１４に係合片２４の係合突端２５と係合させることにより阻止するようにするのではなく、ストラップ５２を主体とする接続具１２を用いて阻止するようにするので、係合片２４が不要であり、金属片２６も不要なのである。
従って、キー１０には係合孔１４が不要なのである。しかし、あっても特に問題はない。
【００５２】
次に、接続具１２について述べる。本実施例１ｂの接続具１２は、第１の実施例１ａの接続具１２とは基本的に異なるところはないが、第１の実施例１ａの接続具１２が単にキー１０をキー通空間４４、４５から抜き取ったときに腰袋８から離脱しないようにする役割を果たしているに過ぎないのに対して、腰袋８からの離脱を防止するだけでなく、キー１０がキー通空間４４、４５に挿通されているときに、そのキー通空間４４、４５からの抜けをも阻止する役割をも果たし得るようにされている点で異なる。
【００５３】
本実施例１ｂの腰袋８は、ストラップ５２を巻き付けるストラップ巻付部６４を有している点で、第１の実施例１ａとは異なる。
６６は中心にリベット３８を通す孔を有するカバーで、例えば金属からなる。６８は中心にリベット３８を通す孔を有する円板状の摩擦体で、摩擦を発生しやすい材質、例えばゴムあるいは皮革であることが望ましい。上記カバー６６はこの摩擦体６８の表面を覆い、それにより摩擦体６８の反りや変形を防止する役割を果たす。
７０は腰袋（工具収納具）８と摩擦体６８との間に小さな隙間を設けるための座金である。そして、その隙間にストラップ５２が侵入すると、そのストラップ５２は摩擦体６８と腰袋（工具収納具）８との間に挟まれ、発生した摩擦により固定される。更に、その隙間の中でストラップ５２どうしがクロスし、重畳するとより強固に固縛された状態になる。
なお、図９中の３８はカバー６６、摩擦体６８、座金７０及び腰袋８を一体に接続するリベットである。
そして、腰袋８と摩擦体６８との間にて、図９（Ａ）に示すように接続具１２ｂのストラップ５２を巻き付けることができるようにされている点で、本実施例１ｂは第１の実施例１ａと相違しているのである。
【００５４】
本実施例１ｂによれば、キー１０をキー通空間４４、４５に通したとき、そのキー通空間４４、４５からの抜けを防止することは、ストラップ５２の反キー側の留め具５４を下側に引っ張ってキー１０がキー通空間４４、４５に挿し込まれた状態を維持し、その状態でストラップ５２をストラップ巻付部６４の内側に巻き付けることにより行うことができる。図８のＡは巻き付けた状態を示す。
なお、キー１０をキー通空間４４、４５から抜き取るときは、図８のＢ、Ｃに示すように、ストラップ巻付部６４からストラップ５２を巻き戻し、その上で図８のＤに示すようにキー１０を上側に引っ張れば良い。
【００５５】
図１０は本考案の第３の実施例１ｃを示す斜視図である。
本実施例１ｃは、第１の実施例１ａ及び第２の実施例１ｂとは共通する部分と相違する部分を有し、共通する部分については、既に説明済みなので、図中において共通する符号を使用して詳細な説明を省略し、相違する部分についてのみ詳細に説明する。
【００５６】
本実施例１ｃは、ベルト側部材２、腰袋（工具収納具）側部材６及びキー１０については、第１の実施例１ａとは異なるところはない。
即ち、ベルト側部材２と腰袋（工具収納具）側部材６とのキー１０を介しての着脱の機構、原理は同じであり、キー１０のキー通空間４４、４５からの抜け止めの機構、原理についても同じである。従って、それ等の機構、原理については重複するので説明は省略する。
【００５７】
次に、本実施例１ｃは、ストラップ巻付部６４を有する点で、第１の実施例１ａとは相違し、第２の実施例１ｂとは共通する。
即ち、本実施例１ｃは、ストラップ巻付部６４の内側に接続具１２のストラップ５２を巻き付けることによりキー通空間４４、４５に挿通されたキー１０のキー通空間４４、４５からの抜けを阻止するようにした点では、第２の実施例１ｂとは同じである。
従って、その抜け止めを阻止する機構及び原理については重複するので、説明は省略する。
【００５８】
本実施例１ｃによれば、キー通空間４４、４５に挿通されたキー１０のキー通空間４４、４５からの抜けを、第１の実施例１ａによる機構、原理と、第２の実施例１ｂによる機構、原理の双方によって確実に防止することができ、安全性をより強化することができる。
【産業上の利用可能性】
【００５９】
本考案は、ベルト挿通部に通したベルト（例えば「安全帯」と称されるベルトを含む）に掛けられることにより使用され、本体を成す、皮革、繊維、合成樹脂、或いは金属等により形成され各種産業上の作業工具を収納する専用の作業用ケース或いは不特定の携帯収納物を収納する万能型の作業用ケースに産業上の利用可能性がある。
【符号の説明】
【００６０】
１ａ〜１ｃ・・・作業用ケース、
２・・・ベルト側部材、４・・・ベルト、
６、６ｂ・・・工具収納具（腰袋）側部材、
８・・・工具収納具（腰袋）、１０・・・キー、
１２・・・接続具、１４・・・係合手段（係合孔）、
１８・・・ベルト挿通孔、２０・・・嵌合部（嵌合軸）、
２４・・・係合片、
２５・・・係合手段（係合突端）、
４０・・・嵌合部（Ｈ字状スリット）、４４、４５・・・キー通空間、
５２・・・ストラップ、５４・・・留め具、５８・・・止め部、
６４・・・ストラップ巻付部。
【図１】
0003204350.tif 000003
【図２】
0003204350.tif 000004
【図３】
0003204350.tif 000005
【図４】
0003204350.tif 000006
【図５】
0003204350.tif 000007
【図６】
0003204350.tif 000008
【図７】
0003204350.tif 000009
【図８】
0003204350.tif 000010
【図９】
0003204350.tif 000011
【図１０】
0003204350.tif 000012
【図１１】
0003204350.tif 000013
【手続補正書】
【提出日】平成28年2月26日(2016.2.26)
【手続補正１】
【補正対象書類名】実用新案登録請求の範囲
【補正対象項目名】全文
【補正方法】変更
【補正の内容】
【実用新案登録請求の範囲】
【請求項１】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記キーは互いに連通する状態の上記キー通空間に挿通可能に形成され、挿通された状態で上記ベルト側部材と上記工具収納具側部材との連結状態を保持するようにされ、
上記キーと上記工具収納具側部材に、そのキーが上記キー通空間に挿入されたときに係脱可能に互いに係合し合って上記キー通空間からの抜けを阻止する係合手段が形成された
ことを特徴とする作業用ケース。
【請求項２】
前記キーが、前記工具収納具又は前記工具収納具側部材とのいずれかに接続具を介して接続されて
なることを特徴とする請求項１に記載の作業用ケース。
【請求項３】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記キーは互いに連通する状態の上記キー通空間に挿通可能に形成され、且つ、前記工具収納具又は前記工具収納具側部材とのいずれかに接続具を介して接続され、
上記キーが上記キー通空間に挿入されたとき上記接続具によってその挿入された状態が保持されるようにでき、上記キー通空間から抜き取られたときでもその接続具によって上記工具収納具又は上記工具収納具側部材とのいずれかから離脱しないようにされた
ことを特徴とする作業用ケース。
【請求項４】
ベルトに掛けられるベルト側部材と、
工具収納具が取り付けられた工具収納具側部材と、
キーと、
を有し、
上記ベルト側部材と上記工具収納具側部材とに、互いに着脱可能に嵌合する嵌合部が形成され、これ等嵌合部に、互いに嵌合したときに連通するキー通空間が形成され、
上記工具収納具又は上記工具収納具側部材とのいずれかに接続具を介して接続され、上記キーと上記工具収納具側部材に、そのキーが上記キー通空間に挿入されたときに係脱可能に互いに係合し合ってそのキーの上記キー通空間からの抜けを阻止する係合手段が形成され、
更に上記キーが上記キー通空間に挿入されたとき上記接続具によってもその挿入された状態が保持されるようにされた
ことを特徴とする作業用ケース。